(57)【要約】【課題】電動モータを備え、その電動モータによってタンク底部の排出弁を開いてタンク内の貯水を排出し、便器洗浄を行わせるようになしたタンク装置において、電動モータへの電源供給のための電源線の配線工事を不要となし、タンク装置の設置に際しての施工を簡単なものとする。【解決手段】タンク１２と、排出弁１８と、排出弁１８を開弁させる電動モータ２４と、給水口３４とを備えた便器洗浄用のタンク装置１０において、先ず給水口３４からの給水を行い、これに伴って生じる水流により発電機３６を発電動作させて電動モータ２４に給電し、これを電気駆動して排出弁１８を開弁させる。【選択図】        図１
2004257095.tif 000002
【特許請求の範囲】
【請求項１】
便器洗浄用の水を貯水するタンクと、該タンク内の貯水を排出する排出弁と、該排出弁を開弁させる電動モータと、該タンク内に給水を行う給水口とを備えた便器洗浄用のタンク装置において、
前記給水口からの給水に伴って生じる水流で発電する発電機を設けるとともに、該発電機で発生した電力を前記電動モータに供給して該電動モータを駆動するようになしたことを特徴とする便器洗浄用のタンク装置。
【請求項２】
請求項１において、前記排出弁の開弁による前記タンク内の貯水の排出より前に前記給水口から給水する始動機能を備えてあることを特徴とする便器洗浄用のタンク装置。
【請求項３】
請求項２において、前記給水口への給水路上に該給水路を開閉する電気駆動弁と、手動操作により該給水路を開いて該給水路に水流を生ぜしめる起動弁とを備えた弁装置が設けられ、該弁装置によって前記始動機能が付与されていることを特徴とする便器洗浄用のタンク装置。
【請求項４】
請求項３において、前記弁装置における電気駆動弁が、前記給水路を開閉する主弁と、小孔を通じて該給水路の該主弁より上流部と連通し、該小孔を通じて該給水路から導入された水の圧力により該主弁を閉弁させる背圧室と、該背圧室の水を該給水路且つ該主弁の下流部に抜くための第１水抜水路と第２水抜水路と、該第１水抜水路上に設けられて該第１水抜水路を開閉する電気駆動のパイロット弁とを有しており、該電気駆動弁の該第２水抜水路上に前記起動弁が設けられていることを特徴とする便器洗浄用のタンク装置。
【請求項５】
請求項１〜４の何れかにおいて、前記タンク装置はボールタップを備えていない非ボールタップ式のものであることを特徴とする便器洗浄用のタンク装置。
【請求項６】
請求項１〜５の何れかにおいて、前記タンク装置には、前記発電機からの電力で動作し、前記電気駆動弁及び電動モータを作動制御する専用の制御部が備えてあることを特徴とする便器洗浄用のタンク装置。
【請求項７】
便器洗浄用の水を貯水するタンクと、該タンク内の貯水を排出する排出弁と、該排出弁を開弁させる電動モータと、該タンク内に給水を行う給水口とを備えた便器洗浄用のタンク装置における給水及び排出方法であって、先ず前記タンクへの給水を先に行い、その後に前記排出弁を開いて該タンク内の貯水を排出することを特徴とする便器洗浄用のタンク装置における給水及び排出方法。
【発明の詳細な説明】
【０００１】
【発明の属する技術分野】
この発明は便器洗浄用の水をタンク内部に貯水し、排出弁を開いてこれを便器に供給し便器洗浄を行わせるタンク装置、詳しくは排出弁を開弁させる電動モータを備えたタンク装置と、そのタンク装置における給水及び排出方法に関する。
【０００２】
【従来の技術】
便器の洗浄方式として、便器洗浄用の水を貯水するタンクと、タンク内の貯水を排出する排出弁と、タンク内に給水を行う給水口とを備えたタンク装置を便器に備え付け、便器の使用後においてタンク内の貯水を排出し便器に供給して便器洗浄を行うようになしたものが従来広く用いられている。
【０００３】
このタンク装置として、下記特許文献１には電気駆動される電動モータを備え、その電動モータにより排出弁を開弁させてタンク内の貯水を便器に向けて排出するようになしたものが開示されている。
図１０はその具体例を示している。
【０００４】
同図において２００は便器２０２に備え付けられたタンク装置で、内部に便器洗浄用の水を貯水するタンク２０４を有している。
タンク２０４の底部には排出口２０６と、フロート弁から成る排出弁２０８が設けられている。
【０００５】
２１２は鎖２１０を介して排出弁２０８を引き上げる引上レバーで、２１４はこの引上レバー２１２を回転させて排出弁２０８を引き上げ、開弁させる電動モータである。
【０００６】
このタンク装置２００の場合、タンク２０４への給水手段としてボールタップ２１６を備えている。
ボールタップ２１６は、排出弁２０８の開弁によりタンク２０４内の貯水を排出したとき、水面とともにフロート２１８を下降させて弁部２２０を開き、給水口２２２から給水を行う。その給水によりタンク２０４内の水位が設定水位まで上昇すると、フロート２１８の上昇によって弁部２２０を閉じ、給水口２２２からの給水を停止させる。
【０００７】
この特許文献１のタンク装置２００の場合、便器２０２に備え付けられた局部洗浄装置２２４とセットで、それを組み合せて便器２０２に備え付けられていた。
ここで局部洗浄装置２２４は、洗浄ノズル２２６の先端部から人体局部に向けて洗浄水を噴射し局部洗浄するもので、リモコンなどの所定の操作部２２８と、洗浄機構部を制御する制御部（図示省略）とを備えている。
【０００８】
【特許文献１】
特開平１１−１６６２５８号公報
【０００９】
【発明が解決しようとする課題】
上記のように電動モータ２１４にて排出弁２０８を開弁させる従来のタンク装置２００は、局部洗浄装置２２４と組み合せてセットで便器２０２に備え付けられており、またその駆動電源としてＡＣ１００Ｖの商用電源を用い、これを局部洗浄装置２２４を通じてタンク装置２００の電動モータ２１４へと供給するようになしていた。
【００１０】
更にまた電動モータ２１４の作動制御も、局部洗浄装置２２４に備えた制御部において行うようになしており、即ちタンク装置２００における電動モータ２１４の作動制御を行う制御部が局部洗浄装置２２４と共用されており、このため従来のタンク装置２００の場合、電動モータ２１４に電源供給するための、或いはまた信号供給するための配線が必要であって施工が面倒である問題があった。
【００１１】
また局部洗浄装置２２４が備え付けられていない便器２０２に対し、タンク装置２００を単独で設置することが難しい問題があった。
【００１２】
更に従来のタンク装置２００の場合、嵩高いボールタップ２１６をタンク２０４内部に組み込まなければならないため、必然的にタンク装置２００が大型化してしまう問題も内在していた。
【００１３】
【課題を解決するための手段】
本発明の便器洗浄用のタンク装置とそのタンク装置における給水及び排出方法は以上のような事情を背景としてなされたものである。
而して請求項１は便器洗浄用のタンク装置に関するもので、便器洗浄用の水を貯水するタンクと、該タンク内の貯水を排出する排出弁と、該排出弁を開弁させる電動モータと、該タンク内に給水を行う給水口とを備えた便器洗浄用のタンク装置において、前記給水口からの給水に伴って生じる水流で発電する発電機を設けるとともに、該発電機で発生した電力を前記電動モータに供給して該電動モータを駆動するようになしたことを特徴とする。
【００１４】
請求項２のものは、請求項１において、前記排出弁の開弁による前記タンク内の貯水の排出より前に前記給水口から給水する始動機能を備えてあることを特徴とする。
【００１５】
請求項３のものは、請求項２において、前記給水口への給水路上に該給水路を開閉する電気駆動弁と、手動操作により該給水路を開いて該給水路に水流を生ぜしめる起動弁とを備えた弁装置が設けられ、該弁装置によって前記始動機能が付与されていることを特徴とする。
【００１６】
請求項４のものは、請求項３において、前記弁装置における電気駆動弁が、前記給水路を開閉する主弁と、小孔を通じて該給水路の該主弁より上流部と連通し、該小孔を通じて該給水路から導入された水の圧力により該主弁を閉弁させる背圧室と、該背圧室の水を該給水路且つ該主弁の下流部に抜くための第１水抜水路と第２水抜水路と、該第１水抜水路上に設けられて該第１水抜水路を開閉する電気駆動のパイロット弁とを有しており、該電気駆動弁の該第２水抜水路上に前記起動弁が設けられていることを特徴とする。
【００１７】
請求項５のものは、請求項１〜４の何れかにおいて、前記タンク装置はボールタップを備えていない非ボールタップ式のものであることを特徴とする。
【００１８】
請求項６のものは、請求項１〜５の何れかにおいて、前記タンク装置には、前記発電機からの電力で動作し、前記電気駆動弁及び電動モータを作動制御する専用の制御部が備えてあることを特徴とする。
【００１９】
請求項７は便器洗浄用のタンク装置における給水及び排出方法に関するもので、便器洗浄用の水を貯水するタンクと、該タンク内の貯水を排出する排出弁と、該排出弁を開弁させる電動モータと、該タンク内に給水を行う給水口とを備えた便器洗浄用のタンク装置における給水及び排出方法であって、先ず前記タンクへの給水を先に行い、その後に前記排出弁を開いて該タンク内の貯水を排出することを特徴とする。
【００２０】
【作用及び発明の効果】
以上のように本発明は、電動モータにより排出弁を開弁させてタンク内の貯水を排出し、便器に供給するようになしたタンク装置において、給水口からタンクへの給水に伴い生じる水流で発電する発電機を設けるとともに、その発電機で発生した電力を電動モータに供給し、これを駆動するようになしたもので、本発明によれば、タンク装置における電動モータに電源供給するための電源線を商用電源と電動モータとの間で配線工事する必要をなくすことができ、タンク装置を設置する際の施工を簡単化することができる。
【００２１】
また便器にタンク装置を備え付けるに際し、便器に局部洗浄装置が備え付けられていない場合であっても、電動モータに対し駆動用の必要な電力を供給することができる。
【００２２】
本発明においては、排出弁の開弁によるタンク内の貯水の排出より前に給水口から給水する始動機能を備えておくことができる（請求項２）。
このようにすれば、先ずタンク内に給水を行ってその際に発電機を水流により発電させ、そこで発生した電力を電動モータに供給して排出弁を開弁作動させることが容易となる。
【００２３】
この場合において、給水口への給水路上にこれを開閉する電気駆動弁と、手動操作により給水路を開閉する起動弁とを備えた弁装置を設け、かかる弁装置の設置により上記始動機能を付与するようになすことができる（請求項３）。
これら請求項２及び請求項３によれば、タンク装置の始動から貯水の排出による便器洗浄までを無電源で（外部電源なしで）行うことが可能となる。
【００２４】
また請求項３によれば、無電源で給水口からの給水と発電機の発電動作を開始させることができるとともに、その発電機で発生した電力により電気駆動弁を開弁及び開弁状態に保持して給水を継続し、そしてタンク内の水位が設定水位まで上昇したところで電気駆動弁を閉弁することで、タンク内に再び必要な水量を貯水した状態とすることが可能となる。
またこのようにした場合、従来用いられていたボールタップの省略が容易となる。
【００２５】
請求項４は、上記弁装置における電気駆動弁を、給水路を開閉する主弁と、内部の圧力で主弁を閉弁させる背圧室と、背圧室の水を給水路に抜くための第１水抜水路，第２水抜水路と、第１水抜水路を開閉する電気駆動のパイロット弁とを有するように構成し、そしてその第２水抜水路上に上記の起動弁を設けておくことができる。
このようになした場合、僅かな力で起動弁を開弁させることが可能となる。
【００２６】
また本発明において、タンク装置はボールタップを備えていない非ボールタップ式のものとして構成しておくことができる（請求項５）。
このようにタンク装置を、従来タンク内部で大きなスペースを占めていたボールタップを備えない形態で構成することで、かかるタンク装置を小型化することが可能となる。
【００２７】
本発明においては、上記タンク装置に、発電機からの電力で動作し、電気駆動弁及び電動モータを作動制御するタンク装置専用の制御部を備えておくことができる（請求項６）。
【００２８】
このようにしておけば、従来のようにタンク装置と局部洗浄装置とを組み合せてセットで便器に設置し、そして局部洗浄装置からタンク装置に対し、詳しくは電動モータに対し電力供給するための電源線を配線する必要をなくすことができるのに加えて、タンク装置制御のための信号線も配線の必要をなくすことができ、タンク装置を、かかる局部洗浄装置と組み合わせずに単独で設置することが容易となる。
【００２９】
請求項７は、タンク装置に給水しまた貯水を排出する方法に関するもので、この請求項７では、先ずタンクへの給水を先に行い、その後に排出弁を開いてタンク内の貯水を排出する。
従来のタンク装置の場合、先ず貯水の排出を行ってから給水を行うようにしているが、この請求項７の方法では、貯水の排出に先立って先ず給水を行うもので、この請求項７の方法により上記請求項１〜６の装置を容易に実現できる。
【００３０】
【実施例】
次に本発明の実施例を図面に基づいて詳しく説明する。
図１において、１０は本例の便器洗浄用のタンク装置でタンク１２を有しており、内部に便器洗浄用の水を貯水するようになっている。
【００３１】
タンク１２には、底部１４に排出口１６とこれを開閉するフロート弁から成る排出弁１８とが設けられており、この排出弁１８が図中上方に引き上げられることによって排出口１６が開放され、タンク１２内部の貯水が便器に向けて排出される。
【００３２】
タンク１２の側壁１９には、引上レバー２０が回転可能に設けられており、その引上レバー２０の先端と排出弁１８とが鎖２２にて連結されている。
【００３３】
タンク１２の側壁１９にはまた、排出弁１８を開閉させるための電動モータ２４が設けられている。
その電動モータ２４は、引上レバー２０を回転動作させるもので、この引上レバー２０が電動モータ２４により大きく回転動作させられると、排出弁１８が鎖２２を介して上方に大きく持ち上げられ（開弁させられ）、ここにおいて排出口１６が大きく開放させられて、タンク１２内の貯水が排出口１６を通じて大量に落下排出され、便器に供給されて便器の大洗浄が行われる。
【００３４】
電動モータ２４は、引上レバー２０を正逆両方向に回転動作させるようになっており、そして引上レバー２０を電動モータ２４が大洗浄時とは逆方向に比較的小さく回転動作させると、排出弁１８が小さく持ち上げられて、タンク１２内の貯水が排出口１６から大洗浄時に比べて少量落下排出させられ、便器の小洗浄が行われる。
【００３５】
引上レバー２０には、側壁１９の外側において手動操作レバー２６が一体回転状態に設けられており、この手動操作レバー２６の回転操作によっても、引上レバー２０が正逆両方向に回転動作させられるようになっている。
即ち排出弁１８は電動モータ２４によっても、手動操作レバー２６による手動操作によっても開閉可能とされている。
尚、２８はタンク１２の底部１４から起立する状態で設けられたオーバーフロー管である。
【００３６】
３０は給水管３２を通じて送られて来た水を給水口３４からタンク１２内に給水する給水装置で、給水口３４の上流側において給水路上に発電機３６がタンク１２内部に設けられている。
またタンク１２の外部において、電磁弁に起動弁を組み込んだ形態の弁装置４０を含む弁装置ユニット３８が側壁１９に設けられている。
【００３７】
この弁装置４０には、後に詳述する起動弁を手動操作するための手動操作部４４が設けられている。
この弁装置ユニット３８には、制御部としてのマイコン及び蓄電素子を搭載した基板４２がボックス内部に備えられており、またリモコン４６からの光による送信信号を受信する受信部４８が設けられている。
【００３８】
図２に、タンク装置１０における給電・制御装置の構成が示してある。
図示のようにこの給電装置の場合、蓄電素子５０と弁装置４０における電磁弁５２及び電動モータ２４とに対し、発電機３６からの電力供給を択一的に行うようにしている。
【００３９】
詳しくは、蓄電素子５０と電磁弁５２及び電動モータ２４とを電源線５６ａと５６ｂ−１及び５６ｂ−２とにより整流回路５８を介して発電機３６に対し並列接続した上で、スイッチ素子６０ａ，６０ｂ−１，６０ｂ−２を設け、更にスイッチ素子６０ａ，６０ｂ−１，６０ｂ−２とマイコン６２とを信号線６４ａ，６４ｂ−１，６４ｂ−２とで接続している。
【００４０】
この装置では、スイッチ素子６０ａをオン動作、スイッチ素子６０ｂ−１及び６０ｂ−２をオフ動作させることによって、蓄電素子５０に電力供給し、電磁弁５２及び電動モータ２４に対し電力供給を遮断する一方、電磁弁５２及び電動モータ２４に電力供給する際には、スイッチ素子６０ａをオフ動作、スイッチ素子６０ｂ−１及び６０ｂ−２をそれぞれオン動作させ、蓄電素子５０への電力供給を遮断するようにしている。
【００４１】
尚、電磁弁５２と電動モータ２４とにはマイコン６２から信号線６４ｃ−１，６４ｃ−２を通じて駆動信号が供給され、その駆動信号によって電磁弁５２及び電動モータ２４が駆動される。
【００４２】
尚図２の給電・制御装置において、発電機３６から電磁弁５２及び電動モータ２４に対し、電源線５６ｂ−１，５６ｂ−２を通じ直接電源供給可能となすのと併せて、蓄電素子５０からも電源線を延ばして電磁弁５２，電動モータ２４に接続し、かかる蓄電素子５０から、それら電磁弁５２及び電動モータ２４に対し電源供給するようになすことも可能である。
【００４３】
上記弁装置４０は、図１に示す手動操作部４４を押動作することで、電磁弁５２に給電を行わなくても給水路を開き、水流によって発電機３６を発電動作可能とするもので、図３にその具体的な構成が示してある。
【００４４】
図３に示しているようにこの弁装置４０は、電磁弁（電気駆動弁）５２に起動弁６８を組み込んだ形態で構成してある。
７０は弁装置４０における内部水路で、この内部水路７０上にダイヤフラムから成る主弁７２が開閉可能に配設されている。
【００４５】
主弁７２は弁座７４に着座することによって内部水路７０を閉鎖し、また弁座７４から図中上向きに離間することによって内部水路７０を開放する。
即ち主弁７２が弁座７４に着座することによって上流側内部水路７０ａと下流側内部水路７０ｂとを遮断し、また主弁７２が弁座７４から図中上向きに離間することによって、それら上流側内部水路７０ａと下流側内部水路７０ｂとを連通させる。
【００４６】
７６は主弁７２の背面に形成された背圧室で、主弁７２は通常時はこの背圧室７６内の水圧により弁座７４に着座した状態、即ち閉弁状態に保持される。
この背圧室７６は、主弁７２に形成された小孔７８を通じて上流側内部水路７０ａと連通した状態にあり、この上流側内部水路７０ａの水が、この小孔７８を通じて背圧室７６に導入されるようになっている。
【００４７】
この例の弁装置４０にあっては、この背圧室７６内の水を下流側内部水路７０ｂへと抜くための第１水抜水路８０と第２水抜水路８２とが設けられており、そして第１水抜水路８０上にこれを開閉するパイロット弁としてのプランジャ弁８４が設けられており、更に第２水抜水路８２上にこれを開閉するパイロット弁としての上記起動弁６８が設けられている。
【００４８】
この起動弁６８には、弁開操作を行うための操作を入力する棒状の押込部８６が外部に突き出す状態で一体に設けられている。
ここで起動弁６８は、スプリング８８によって常時閉弁方向に付勢されている。
尚、第２水抜水路８２はその一部が第１水抜水路８０と共通に構成されている。
【００４９】
上記プランジャ弁８４は磁性材から成っており、スプリング９０によって常時閉弁方向に付勢されているとともに、ソレノイドコイル９２の電磁的な吸引力によって、スプリング９０の付勢力に抗し開弁動作するようになっている。
【００５０】
プランジャ弁８４は、開弁後においてラッチマグネット９４の磁気的な吸引力によって開弁状態に保持される。
またその状態においてソレノイドコイル９２に対し開弁時とは逆向きの電流が給電されることで、ソレノイドコイル９２による電磁的な反発力によりプランジャ弁８４が閉弁動作させられ、そして閉弁動作後においてはスプリング９０の付勢力によって閉弁状態に保持される。
【００５１】
即ちプランジャ弁８４は開弁後において開弁状態を、閉弁後において閉弁状態をそれぞれ保持するものとなっている。
即ちこの例の電磁弁５２は、開弁後において開弁状態を、閉弁後において閉弁状態をそれぞれ保持するものとなっており、開弁動作時と閉弁動作時のみソレノイドコイル９２へ給電が行われることで開弁動作及び閉弁動作をそれぞれ行う。
【００５２】
第１水抜水路８０は、このプランジャ弁８４の開弁及び閉弁動作によって背圧室７６と下流側内部水路７０ｂとを連通させ或いは遮断する。
而して背圧室７６と下流側内部水路と７０ｂが第１水抜水路８０を通じて連通すると、背圧室７６内の水が第１水抜水路８０を通じて下流側内部水路７０ｂへと流れ込み、ここにおいて主弁７２に対する背圧室７６内の水圧が消失して、主弁７２が上流側内部水路７０ａの給水圧により開弁動作し、内部水路７０に水流を生ぜしめる。
【００５３】
この例において、第２水抜水路８２における起動弁６８の上流側の部分と、第１水抜水路８０におけるプランジャ弁８４の上流側の部分とは常時連通した状態にある。
【００５４】
この例では、第２水抜水路８２の一部が第１水抜水路８０と共通する形態で設けられているが、第２水抜水路８２を第１水抜水路８０とは全く独立に、背圧室７６と下流側内部水路７０ｂとを連通させる状態で設けることも可能である。
【００５５】
図４〜図６はこの起動弁６８付きの弁装置４０の作用を具体的に示したものである。
図４（Ｉ）では主弁７２，プランジャ弁８４及び起動弁６８の何れもが閉弁状態にあって、内部水路７０には水流は生じていない。
従ってこの時点では発電機３６は停止した状態にある。
【００５６】
この状態で、図４（ＩＩ）に示しているように起動弁６８に僅かに力を加えてこれを開弁させると、背圧室７６が第２水抜水路８２を通じて下流側内部水路７０ｂと連通した状態となり、背圧室７６内の水が、この第２水抜水路８２を通じて下流側内部水路７０ｂへと流れ込む。
ここにおいて主弁７２に対する背圧室７６内の水圧が消失し、主弁７２が図５（ＩＩＩ）に示しているように上流側内部水路７０ａの給水圧により開弁する。
【００５７】
この段階で上流側内部水路７０ａと下流側内部水路７０ｂとは連通した状態となって内部水路７０に水流が生じ、その水流によって発電機３６の水車が回転して発電を開始し、発生した電力が電磁弁５２に供給される。
そしてその電力供給及びマイコン６２からの駆動信号により、図５（ＩＶ）に示しているようにプランジャ弁８４の開弁動作が行われ、第１水抜水路８０が開放状態となる。開弁動作したプランジャ弁８４はその後開弁状態に保持される。
【００５８】
この状態で起動弁６８に対する操作力を除いても、即ち図６（Ｖ）に示しているように起動弁６８がスプリング８８の付勢力により閉弁動作して第２水抜水路８２を遮断しても、背圧室７６は第１水抜水路８０を通じて下流側内部水路７０ｂと連通した状態に保持されるから、主弁７２はその後も依然として開弁状態に保持される。
即ち起動弁６８が閉じられても内部水路７０には水が流れ続けており、そしてその水流によって発電機３６は引続き発電を継続する。
【００５９】
そして主弁７２が開弁動作した後、設定した閉弁時期に到ると、ここにおいてマイコン６２からの駆動信号によりプランジャ弁８４が、図６（ＶＩ）に示しているように閉弁動作し、背圧室７６と下流側内部水路７０ｂとの連通を遮断する。すると小孔７８を通じて上流側内部水路７０ａの水が背圧室７６に導入されることで背圧室７６内の水圧が増大し、そしてその水圧が所定圧力に達すると、ここにおいて主弁７２が閉弁動作し内部水路７０を遮断状態とする。
【００６０】
次に本例のタンク装置１０の作用を、図９のフロー図と併せて図７及び図８の作用説明図に基づき具体的に説明する。
図７及び図８の作用説明図において、弁装置４０における電磁弁５２及び起動弁６８は当初何れも閉状態にあり、その状態で手動操作部４４を押操作すると、ここにおいて図３に示す起動弁６８が開弁して給水路に水流を生ぜしめ、給水装置３０における給水口３４から給水を開始させるとともに、発電機３６を発電動作させる（図９のＦ１０，Ｆ１２）。
【００６１】
発電機３６で発生した電力は、図９に示しているように速やかに弁装置４０の電磁弁５２へと供給され、ここにおいて電磁弁５２が開弁動作し、手動操作部４４から使用者が手を放して起動弁６８が閉じた後においても、給水口３４への給水路を開いた状態に保持する。
電磁弁５２は、開弁後においては無給電状態においても開弁状態を保持し、引続き給水路を開放状態に保持する。即ち給水口３４からの給水を継続させる（図９のＦ１４）。
【００６２】
その後所定時間を経た後、発電機３６からの電力が電動モータ２４へと供給され、ここにおいて電動モータ２４が引上レバー２０を回転動作させて、図７（ＩＩ）に示しているように排出弁１８を図中上方に引き上げる。即ち排出弁１８を開弁させて、排出口１６を開放させる（図９のＦ１６，Ｆ１８）。
【００６３】
ここにおいてタンク１２内の貯水は排出口１６から落下し、便器へと供給されて便器の洗浄が行われる。
ここで給水口３４からの給水はその後も引続き行われる。
その後電動モータ２４の駆動停止に続いて発電機１２からの電力の供給が電動モータ２４から蓄電素子５０への供給に切り替えられて蓄電素子５０の充電が行われる（図９のＦ２０）。
【００６４】
その間排出口１６からの排出は継続され、そしてタンク１２内の水位が一定水位まで低下したところで、フロート弁から成る排出弁１８が排出口１６を閉じ、ここにおいてタンク１２から便器への貯水の排出が停止する。即ち排出終了する（図９のＦ２２）。
【００６５】
給水口３４からの給水はこの間及びその後も更に引き続いて行われ、そしてタンク１２内の水位が設定した満水位となったところで、弁装置４０における電磁弁５２に対し閉弁のための信号が送られ、ここにおいて電磁弁５２が閉弁し給水口３４からの給水が停止する（図８（ＩＩＩ），図９のＦ２４，Ｆ２６）。
【００６６】
以上のように本例のタンク装置１０では、便器の洗浄に際して先ず手動操作部４４の操作により起動弁６８を開弁させて給水口３４からの給水を最初に行い、これにより発電機３６を発電動作させる。
そしてそこで発生した電力に基づいて電動モータ２４の駆動，蓄電素子５０の充電，弁装置４０の電磁弁５２の開閉駆動等を行い、便器洗浄のための一連のプロセスを終了する。
【００６７】
尚給水口３４からの給水停止は、発電機３６の回転数が給水路を流れる水の積算流量に対応していることから、その発電機３６の回転数をパルスカウントして、そのカウント数が一定カウント数に達したところで給水停止するようになすことができる。
或いはまた、タンク１２内の水面の位置を水位センサで検出し、そしてその水面の位置が設定水位に達したところで給水停止させるようになすことができる。その制御はマイコン６２において行うことができる。
【００６８】
尚、この例では発電機３６で発生した電力を用いて蓄電素子５０を充電するようにしているが、起動弁付の弁装置４０を用いたタンク装置１０にあっては、このような蓄電素子を省略し、発電機３６で発生した電力を直接電気駆動機器としての電磁弁５２や電動モータ２４に供給し、これらを駆動するようになすこともできる。
【００６９】
或いはまた、起動弁付の弁装置４０を用いたタンク装置１０においても、蓄電素子５０を電源として当初の弁装置４０の開弁動作をリモコン４６の操作によって行わせるようになすこともできる。
【００７０】
またこのような蓄電素子５０を電源として用いるようになした場合、弁装置４０として起動弁を備えていないものを用いることも可能である。
【００７１】
以上のような本例によれば、タンク装置１０における電動モータ２４に電源供給するための電源線５６を、商用電源と電動モータ２４との間で配線工事する必要をなくすことができ、タンク装置１０を設置する際の施工を簡単化することができる。
【００７２】
また便器にタンク装置１０を備え付けるに際し、便器に局部洗浄装置が備え付けられていない場合であっても、電動モータ２４に対し駆動用の必要な電力を供給することができる。
また本例によれば、タンク装置１０の始動から貯水の排出による便器洗浄までを無電源で（外部電源なしで）行うことが可能となる。
【００７３】
更に本例によれば、従来必要とされていたボールタップを省略でき、これによりタンク装置１０を小型化することができる。
加えて本例によれば、タンク装置を局部洗浄装置と組み合せずに、単独で設置することが容易となる。
【００７４】
以上本発明の実施例を詳述したがこれはあくまで一例示であり、本発明はその趣旨を逸脱しない範囲において種々変更を加えた形態で構成可能である。
【図面の簡単な説明】
【図１】本発明の一実施例である便器洗浄用のタンク装置の図である。
【図２】同実施例のタンク装置における給電・制御装置の図である。
【図３】同実施例のタンク装置における弁装置の図である。
【図４】図３の弁装置の作用説明図である。
【図５】図４に続く弁装置の作用説明図である。
【図６】図５に続く弁装置の作用説明図である。
【図７】同実施例のタンク装置の作用説明図である。
【図８】図７に続くタンク装置の作用説明図である。
【図９】同実施例のタンク装置の動作を説明するためのフロー図である。
【図１０】従来の便器洗浄用のタンク装置の要部を便器とともに示す図である。
【符号の説明】
１０  タンク装置
１２  タンク
１８  排出弁
２４  電動モータ
３４  給水口
３６  発電機
４０  弁装置
５２  電磁弁
６２  マイコン
６８  起動弁
７０  内部水路
７０ａ  上流側内部水路
７０ｂ  下流側内部水路
７２  主弁
７６  背圧室
７８  小孔
８０  第１水抜水路
８２  第２水抜水路
８４  プランジャ弁
【図１】
2004257095.tif 000003
【図２】
2004257095.tif 000004
【図３】
2004257095.tif 000005
【図４】
2004257095.tif 000006
【図５】
2004257095.tif 000007
【図６】
2004257095.tif 000008
【図７】
2004257095.tif 000009
【図８】
2004257095.tif 000010
【図９】
2004257095.tif 000011
【図１０】
2004257095.tif 000012